(57)【特許請求の範囲】
【請求項１】
物理上りリンク共用チャネルに関連する復調参照信号を基地局装置へ送信する端末装置であって、
セルスペシフィックな第１のパラメータを受信する手段と、
ユーザー装置スペシフィックな第２のパラメータを受信する手段と、
サイクリックシフトの値を与えるために用いられる第３のパラメータを受信する手段と、
前記第１のパラメータに基づいて系列グループホッピングを有効または無効とする手段と、
前記第２のパラメータを受信した場合において、ランダムアクセスプロシージャにおけるランダムアクセスレスポンスグラントに対応する前記物理上りリンク共用チャネルでの送信を行う場合、または、ランダムアクセスプロシージャにおけるトランスポートブロックの再送信に対応する前記物理上りリンク共用チャネルでの送信を行う場合を除いて、前記第１のパラメータに基づいて前記系列グループホッピングを有効としているかどうかに関わらず、前記第２のパラメータに基づいて、前記物理上りリンク共用チャネルに対する前記系列グループホッピングを無効とする手段と、
前記系列グループホッピングの有効または無効、および、前記第３のパラメータによって与えられるサイクリックシフトの値に、少なくとも基づいて、前記復調参照信号の系列を生成する手段と、を備える
ことを特徴とする端末装置。
【請求項２】
前記第１のパラメータは、前記基地局装置から送信され、前記系列グループホッピングを有効または無効とするために使用され、
前記第２のパラメータは、前記基地局装置から送信され、前記系列グループホッピングを無効とするために使用される
ことを特徴とする請求項１に記載の端末装置。
【請求項３】
前記ランダムアクセスプロシージャにおけるトランスポートブロックの再送信に対応する前記物理上りリンク共用チャネルでの送信は、Ｔｅｍｐｏｒａｒｙ  Ｃ−ＲＮＴＩによってスクランブルされたＣＲＣパリティビットが付加された下りリンク制御情報フォーマットを使用して指示されることを特徴とする請求項１に記載の端末装置。
【請求項４】
前記Ｔｅｍｐｏｒａｒｙ  Ｃ−ＲＮＴＩによってスクランブルされたＣＲＣパリティビットが付加された下りリンク制御情報フォーマットは、物理下りリンク制御チャネルで送信される
ことを特徴とする請求項３に記載の端末装置。
【請求項５】
前記物理上りリンク共用チャネルに対する前記系列グループホッピングを無効とする手段は、Ｃ−ＲＮＴＩによってスクランブルされたＣＲＣパリティビットが付加された下りリンク制御情報フォーマットに対応する前記物理上りリンク共用チャネルでの送信を行う場合には、前記第１のパラメータに基づいて前記系列グループホッピングを有効としているかどうかに関わらず、前記第２のパラメータに基づいて、前記物理上りリンク共用チャネルに対する前記系列グループホッピングを無効とする
ことを特徴とする請求項１から請求項４のいずれかに記載の端末装置。
【請求項６】
系列グループホッピングの有効または無効に基づいて系列が生成される復調参照信号を端末装置から受信し、前記復調参照信号を用いて物理上りリンク共用チャネルを復調する基地局装置であって、
前記系列グループホッピングを有効または無効とするために使用されるセルスペシフィックな第１のパラメータを前記端末装置へ送信する手段と、
前記系列グループホッピングを無効とするために使用されるユーザー装置スペシフィックな第２のパラメータを前記端末装置へ送信する手段と、
サイクリックシフトの値を与えるために用いられる第３のパラメータを前記端末装置へ送信する手段と、
を備え、
前記第２のパラメータが前記端末装置に受信された場合において、前記物理上りリンク共用チャネルに対する前記系列グループホッピングは、ランダムアクセスプロシージャにおけるランダムアクセスレスポンスグラントに対応する前記物理上りリンク共用チャネルでの送信が行われる場合、または、ランダムアクセスプロシージャにおけるトランスポートブロックの再送信に対応する前記物理上りリンク共用チャネルでの送信が行われる場合を除いて、前記第１のパラメータを使用して前記系列グループホッピングが有効とされているかどうかに関わらず、前記第２のパラメータを使用して無効とされ、
前記復調参照信号の系列は、前記系列グループホッピングの有効または無効、および、前記第３のパラメータによって与えられるサイクリックシフトの値に、少なくとも基づいて生成される
ことを特徴とする基地局装置。
【請求項７】
前記ランダムアクセスプロシージャにおけるトランスポートブロックの再送信に対応する前記物理上りリンク共用チャネルでの送信は、Ｔｅｍｐｏｒａｒｙ  Ｃ−ＲＮＴＩによってスクランブルされたＣＲＣパリティビットが付加された下りリンク制御情報フォーマットを使用して指示されることを特徴とする請求項６に記載の基地局装置。
【請求項８】
前記Ｔｅｍｐｏｒａｒｙ  Ｃ−ＲＮＴＩによってスクランブルされたＣＲＣパリティビットが付加された下りリンク制御情報フォーマットは、物理下りリンク制御チャネルで送信される
ことを特徴とする請求項７に記載の基地局装置。
【請求項９】
前記系列グループホッピングは、Ｃ−ＲＮＴＩによってスクランブルされたＣＲＣパリティビットが付加された下りリンク制御情報フォーマットに対応する前記物理上りリンク共用チャネルでの送信が行われる場合は、前記第１のパラメータを使用して有効とされているかどうかに関わらず、前記第２のパラメータを使用して無効とされる
ことを特徴とする請求項６から請求項８のいずれかに記載の基地局装置。
【請求項１０】
物理上りリンク共用チャネルに関連する復調参照信号を基地局装置へ送信する端末装置の通信方法であって、
セルスペシフィックな第１のパラメータに基づいて系列グループホッピングを有効または無効とし、
ユーザスペシフィックな第２のパラメータを受信した場合において、ランダムアクセスプロシージャにおけるランダムアクセスレスポンスグラントに対応する前記物理上りリンク共用チャネルでの送信を行う場合、または、ランダムアクセスプロシージャにおけるトランスポートブロックの再送信に対応する前記物理上りリンク共用チャネルでの送信を行う場合を除いて、前記第１のパラメータに基づいて前記系列グループホッピングを有効としているかどうかに関わらず、前記第２のパラメータに基づいて、前記物理上りリンク共用チャネルに対する前記系列グループホッピングを無効とし、
前記系列グループホッピングの有効または無効、および、第３のパラメータによって与えられるサイクリックシフトの値に、少なくとも基づいて、前記復調参照信号の系列を生成する
ことを特徴とする通信方法。
【請求項１１】
系列グループホッピングの有効または無効に基づいて系列が生成される復調参照信号を端末装置から受信し、前記復調参照信号を用いて物理上りリンク共用チャネルを復調する基地局装置の通信方法であって、
前記系列グループホッピングを有効または無効とするために使用されるセルスペシフィックな第１のパラメータを前記端末装置へ送信し、
前記系列グループホッピングを無効とするために使用されるユーザー装置スペシフィックな第２のパラメータを前記端末装置へ送信し、
サイクリックシフトの値を与えるために用いられる第３のパラメータを前記端末装置へ送信し、
前記第２のパラメータが前記端末装置に受信された場合において、前記物理上りリンク共用チャネルに対する前記系列グループホッピングは、ランダムアクセスプロシージャにおけるランダムアクセスレスポンスグラントに対応する前記物理上りリンク共用チャネルでの送信が行われる場合、または、ランダムアクセスプロシージャにおけるトランスポートブロックの再送信に対応する前記物理上りリンク共用チャネルでの送信が行われる場合を除いて、前記第１のパラメータを使用して前記系列グループホッピングが有効とされているかどうかに関わらず、前記第２のパラメータを使用して無効とされる
前記復調参照信号の系列は、前記系列グループホッピングの有効または無効、および、前記第３のパラメータによって与えられるサイクリックシフトの値に、少なくとも基づいて生成される
ことを特徴とする通信方法。
【請求項１２】
物理上りリンク共用チャネルに関連する復調参照信号を基地局装置へ送信する端末装置に搭載される集積回路であって、
セルスペシフィックな第１のパラメータに基づいて系列グループホッピングを有効または無効とする機能と、
ユーザスペシフィックな第２のパラメータを前記端末装置が受信した場合において、ランダムアクセスプロシージャにおけるランダムアクセスレスポンスグラントに対応する前記物理上りリンク共用チャネルでの送信を行う場合、または、ランダムアクセスプロシージャにおけるトランスポートブロックの再送信に対応する前記物理上り共用チャネルでの送信を行う場合を除いて、前記第１のパラメータに基づいて前記系列グループホッピングを有効としているかどうかに関わらず、前記第２のパラメータに基づいて、前記物理上りリンク共用チャネルに対する前記系列グループホッピングを無効とする機能と、
前記系列グループホッピングの有効または無効、および、第３のパラメータによって与えられるサイクリックシフトの値に、少なくとも基づいて、前記復調参照信号の系列を生成する機能と、を前記端末装置に発揮させる
ことを特徴とする集積回路。
【請求項１３】
系列グループホッピングの有効または無効に基づいて系列が生成される復調参照信号を端末装置から受信し、前記復調参照信号を用いて物理上りリンク共用チャネルを復調する基地局装置に搭載される集積回路であって、
前記系列グループホッピングを有効または無効とするために使用されるセルスペシフィックな第１のパラメータを前記端末装置へ送信する機能と、
前記系列グループホッピングを無効とするために使用されるユーザー装置スペシフィックな第２のパラメータを前記端末装置へ送信する機能と、
サイクリックシフトの値を与えるために用いられる第３のパラメータを前記端末装置へ送信する機能と、を前記基地局装置に発揮させ、
前記第２のパラメータが前記端末装置に受信された場合において、前記物理上りリンク共用チャネルに対する前記系列グループホッピングは、ランダムアクセスプロシージャにおけるランダムアクセスレスポンスグラントに対応する前記物理上りリンク共用チャネルでの送信が行われる場合、または、ランダムアクセスプロシージャにおけるトランスポートブロックの再送信に対応する前記物理上りリンク共用チャネルでの送信が行われる場合を除いて、前記第１のパラメータを使用して前記系列グループホッピングが有効とされているかどうかに関わらず、前記第２のパラメータを使用して無効とされ、
前記復調参照信号の系列は、前記系列グループホッピングの有効または無効、および、前記第３のパラメータによって与えられるサイクリックシフトの値に、少なくとも基づいて生成される
ことを特徴とする集積回路。
【発明の詳細な説明】
【技術分野】
【０００１】
本発明は、端末装置、基地局装置、通信方法および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および端末のそれぞれが、１つまたは複数の送受信アンテナを備えて、例えば、ＭＩＭＯ（Ｍｕｌｔｉｐｌｅ  Ｉｎｐｕｔ
Ｍｕｌｔｉｐｌｅ  Ｏｕｔｐｕｔ）技術を利用することによって、高速なデータ伝送を実現することができる。
【０００３】
ここで、無線通信システムにおいて、複数の端末が、同一の周波数、時間リソースを使用して空間多重を行うＭＵ−ＭＩＭＯ（Ｍｕｌｔｉｐｌｅ  Ｕｓｅｒ  ＭＩＭＯ）をサポートすることが検討されている。また、複数の基地局が互いに協調して干渉コーディネーションを行うＣｏＭＰ（Ｃｏｏｐｅｒａｔｉｖｅ  Ｍｕｌｔｉｐｏｉｎｔ）伝送方式をサポートすることが検討されている。例えば、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）における無線通信システムが検討されている。
【０００４】
このような無線通信システムにおいて、複数の端末のそれぞれによって送信される上りリンク参照信号が、同一の特性である場合、干渉が生じてしまう。ここで、例えば、複数の端末のそれぞれによって送信される復調用参照信号（ＤＭＲＳ；Ｄｅｍｏｄｕｌａｔｉｏｎ  Ｒｅｆｅｒｅｎｃｅ  Ｓｉｇｎａｌとも呼称される）の干渉を軽減、抑圧するために、復調用参照信号を直交化させるための方法が提案されている（非特許文献１）。
【先行技術文献】
【非特許文献】
【０００５】
【非特許文献１】ＤＭＲＳ  ｅｎｈａｎｃｅｍｅｎｔｓ  ｆｏｒ  ＵＬ  ＣｏＭＰ；  ３ＧＰＰ  ＴＳＧ  ＲＡＮ  ＷＧ１  ｍｅｅｔｉｎｇ＃６８  Ｒ１−１２０２７７、Ｆｅｂｒｕａｒｙ  ６ｔｈ−１０ｔｈ、２０１２.
【発明の概要】
【発明が解決しようとする課題】
【０００６】
しかしながら、上述のような無線通信システムにおいて、基地局と端末が、上りリンク参照信号に関するパラメータを決定する際の具体的な手順に関する記載はなかった。すなわち、基地局と端末が、上りリンク参照信号に関するパラメータをどのように決定し、通信を行うかの記載がなかった。
【０００７】
本発明は、上記問題を鑑みてなされたものであり、その目的は、基地局と端末が、上りリンク参照信号に関するパラメータを決定し、効率的に通信することができる端末装置、基地局装置、通信方法および集積回路を提供する。
【課題を解決するための手段】
【０００８】
（１）上記の目的を達成するために、本発明は、以下のような手段を講じた。すなわち、物理上りリンク共用チャネルに関連する復調参照信号を基地局装置へ送信する端末装置であって、セルスペシフィックパラメータに基づいて系列グループホッピングを有効または無効とする手段と、Ｔｅｍｐｏｒａｒｙ  Ｃ−ＲＮＴＩによってスクランブルされたＣＲＣパリティビットが付加された下りリンク制御情報フォーマットに対応する前記物理上りリンク共用チャネル、または、ランダムアクセスレスポンスグラントに対応する前記物理上りリンク共用チャネルでメッセージ３を送信する場合を除いて、前記セルスペシフィックパラメータに基づいて前記系列グループホッピングを有効としているにも関わらず、ユーザー装置スペシフィックパラメータに基づいて前記系列グループホッピングを無効とする手段と、前記系列グループホッピングの有効または無効に基づいて、前記復調参照信号の系列を生成する手段とを備えることを特徴としている。
【０００９】
（２）また、前記セルスペシフィックパラメータは、前記基地局装置から送信され、前記系列グループホッピングを有効または無効とするために使用され、前記ユーザー装置スペシフィックパラメータは、前記基地局装置から送信され、前記系列グループホッピングを無効とするために使用されてもよい。
【００１０】
（３）また、前記Ｔｅｍｐｏｒａｒｙ  Ｃ−ＲＮＴＩによってスクランブルされたＣＲＣパリティビットが付加された下りリンク制御情報フォーマットは、ランダムアクセスプロシージャにおいて、トランスポートブロックの再送信を指示するために使用されてもよい。
【００１１】
（４）さらに、前記Ｔｅｍｐｏｒａｒｙ  Ｃ−ＲＮＴＩによってスクランブルされたＣＲＣパリティビットが付加された下りリンク制御情報フォーマットは、物理下りリンク制御チャネルで送信されてもよい。
【００１２】
（５）また、Ｃ−ＲＮＴＩによってスクランブルされたＣＲＣパリティビットが付加された下りリンク制御情報フォーマットに対応する前記物理上りリンク共用チャネルでの送信を行う場合には、前記セルスペシフィックパラメータに基づいて前記系列グループホッピングを有効としているにも関わらず、前記ユーザー装置スペシフィックパラメータに基づいて前記系列グループホッピングを無効とする手段を備えてもよい。
【００１３】
（６）また、系列グループホッピングの有効または無効に基づいて系列が生成される復調参照信号であって、物理上りリンク共用チャネルに関連する前記復調参照信号を端末装置から受信する基地局装置であって、前記系列グループホッピングを有効または無効とするために使用されるセルスペシフィックパラメータを前記端末装置へ送信する手段と、前記系列グループホッピングを無効とするために使用されるユーザー装置スペシフィックパラメータを前記端末装置へ送信する手段と、を備え、前記系列グループホッピングは、Ｔｅｍｐｏｒａｒｙ  Ｃ−ＲＮＴＩによってスクランブルされたＣＲＣパリティビットが付加された下りリンク制御情報フォーマットに対応する前記物理上りリンク共用チャネル、または、ランダムアクセスレスポンスグラントに対応する前記物理上りリンク共用チャネルでメッセージ３が送信される場合を除いて、前記セルスペシフィックパラメータを使用して有効とされているにも関わらず、前記ユーザー装置スペシフィックパラメータを使用して無効とされることを特徴としている。
【００１４】
（７）また、前記Ｔｅｍｐｏｒａｒｙ  Ｃ−ＲＮＴＩによってスクランブルされたＣＲＣパリティビットが付加された下りリンク制御情報フォーマットは、ランダムアクセスプロシージャにおいて、トランスポートブロックの再送信を指示するために使用されてもよい。
【００１５】
（８）また、前記Ｔｅｍｐｏｒａｒｙ  Ｃ−ＲＮＴＩによってスクランブルされたＣＲＣパリティビットが付加された下りリンク制御情報フォーマットは、物理下りリンク制御チャネルで送信されてもよい。
【００１６】
（９）また、前記系列グループホッピングは、Ｃ−ＲＮＴＩによってスクランブルされたＣＲＣパリティビットが付加された下りリンク制御情報フォーマットに対応する前記物理上りリンク共用チャネルでの送信が行われる場合は、前記セルスペシフィックパラメータを使用して有効とされているにも関わらず、前記ユーザー装置スペシフィックパラメータを使用して無効とされてもよい。
【００１７】
（１０）また、物理上りリンク共用チャネルに関連する復調参照信号を基地局装置へ送信する端末装置の通信方法であって、セルスペシフィックパラメータに基づいて系列グループホッピングを有効または無効とし、Ｔｅｍｐｏｒａｒｙ  Ｃ−ＲＮＴＩによってスクランブルされたＣＲＣパリティビットが付加された下りリンク制御情報フォーマットに対応する前記物理上りリンク共用チャネル、または、ランダムアクセスレスポンスグラントに対応する前記物理上りリンク共用チャネルでメッセージ３を送信する場合を除いて、前記セルスペシフィックパラメータに基づいて前記系列グループホッピングを有効としているにも関わらず、ユーザー装置スペシフィックパラメータに基づいて前記系列グループホッピングを無効とし、前記系列グループホッピングの有効または無効に基づいて、前記復調参照信号の系列を生成することを特徴としている。
【００１８】
（１１）また、系列グループホッピングの有効または無効に基づいて系列が生成される復調参照信号であって、物理上りリンク共用チャネルに関連する前記復調参照信号を端末装置から受信する基地局装置の通信方法であって、前記系列グループホッピングを有効または無効とするために使用されるセルスペシフィックパラメータを前記端末装置へ送信し、前記系列グループホッピングを無効とするために使用されるユーザー装置スペシフィックパラメータを前記端末装置へ送信し、前記系列グループホッピングは、Ｔｅｍｐｏｒａｒｙ  Ｃ−ＲＮＴＩによってスクランブルされたＣＲＣパリティビットが付加された下りリンク制御情報フォーマットに対応する前記物理上りリンク共用チャネル、または、ランダムアクセスレスポンスグラントに対応する前記物理上りリンク共用チャネルでメッセージ３が送信される場合を除いて、前記セルスペシフィックパラメータを使用して有効とされているにも関わらず、前記ユーザー装置スペシフィックパラメータを使用して無効とされることを特徴としている。
【００１９】
（１２）また、物理上りリンク共用チャネルに関連する復調参照信号を基地局装置へ送信する端末装置に搭載される集積回路であって、セルスペシフィックパラメータに基づいて系列グループホッピングを有効または無効とする機能と、Ｔｅｍｐｏｒａｒｙ  Ｃ−ＲＮＴＩによってスクランブルされたＣＲＣパリティビットが付加された下りリンク制御情報フォーマットに対応する前記物理上りリンク共用チャネル、または、ランダムアクセスレスポンスグラントに対応する前記物理上りリンク共用チャネルでメッセージ３を送信する場合を除いて、前記セルスペシフィックパラメータに基づいて前記系列グループホッピングを有効としているにも関わらず、ユーザー装置スペシフィックパラメータに基づいて前記系列グループホッピングを無効とする機能と、前記系列グループホッピングの有効または無効に基づいて、前記復調参照信号の系列を生成する機能と、を前記端末装置に発揮させることを特徴としている。
【００２０】
（１３）また、系列グループホッピングの有効または無効に基づいて系列が生成される復調参照信号であって、物理上りリンク共用チャネルに関連する前記復調参照信号を端末装置から受信する基地局装置に搭載される集積回路であって、前記系列グループホッピングを有効または無効とするために使用されるセルスペシフィックパラメータを前記端末装置へ送信する機能と、前記系列グループホッピングを無効とするために使用されるユーザー装置スペシフィックパラメータを前記端末装置へ送信する機能と、を前記基地局装置に発揮させ、前記系列グループホッピングは、Ｔｅｍｐｏｒａｒｙ  Ｃ−ＲＮＴＩによってスクランブルされたＣＲＣパリティビットが付加された下りリンク制御情報フォーマットに対応する前記物理上りリンク共用チャネル、または、ランダムアクセスレスポンスグラントに対応する前記物理上りリンク共用チャネルでメッセージ３が送信される場合を除いて、前記セルスペシフィックパラメータを使用して有効とされているにも関わらず、前記ユーザー装置スペシフィックパラメータを使用して無効とされることを特徴としている。
【発明の効果】
【００２１】
本発明によれば、基地局と端末が、上りリンク参照信号に関するパラメータを決定し、効率的に通信することができる。
【図面の簡単な説明】
【００２２】
【図１】本発明の実施形態に係る基地局の構成を示す概略ブロック図である。
【図２】本発明の実施形態に係る端末の構成を示す概略ブロック図である。
【図３】本発明の実施形態に係る通信の例を示す概略図である。
【図４】下りリンク信号の例を示す図である。
【図５】本発明の実施形態を説明するフローチャートである。
【発明を実施するための形態】
【００２３】
以下、本発明の実施形態について説明する。本発明の実施形態における無線通信システムは、基地局装置（以下、基地局、送信装置、セル、サービングセル、送信局、送信点、送信アンテナ群、送信アンテナポート群、ｅＮｏｄｅＢとも呼称される）として、プライマリー基地局（マクロ基地局、第１の基地局、第１の通信装置、サービング基地局、アンカー基地局、プライマリセルとも呼称される）およびセカンダリー基地局（ＲＲＨ、ピコ基地局、フェムト基地局、Ｈｏｍｅ  ｅＮｏｄｅＢ、第２の基地局装置、第２の通信装置、協調基地局群、協調基地局セット、協調基地局、セカンダリセルとも呼称される）を備える。また、移動局装置（以下、端末、端末装置、移動端末、受信装置、受信点、受信端末、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００２４】
ここで、セカンダリー基地局は、複数のセカンダリー基地局として示されても良い。例えば、プライマリー基地局とセカンダリー基地局は、ヘテロジーニアスネットワーク配置を利用して、セカンダリー基地局のカバレッジの一部または全てが、プライマリー基地局のカバレッジに含まれ、端末と通信が行われる。
【００２５】
図１は、本発明の実施形態に係る基地局の構成を示す概略ブロック図である。ここで、図１に示される基地局は、プライマリー基地局やセカンダリー基地局が含まれる。基地局は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成する。ここで、基地局を構成する各部を、ユニットとも呼称する。
【００２６】
データ制御部１０１は、スケジューリング部１０４からトランスポートチャネルを受信する。データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【００２７】
送信データ変調部１０２は、送信データを変調／符号化する。送信データ変調部１０２は、データ制御部１０１から入力されたデータに対して、スケジューリング部１０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行ない、送信データを生成して、無線部１０３へ出力する。
【００２８】
無線部１０３は、送信データ変調部１０２から入力された送信データを無線周波数にアップコンバートして無線信号を生成し、アンテナ１０９を介して、端末に送信する。また、無線部１０３は、端末から受信した無線信号を、アンテナ１０９を介して受信し、ベースバンド信号にダウンコンバートして、受信データをチャネル推定部１０５と受信データ復調部１０６とに出力する。
【００２９】
スケジューリング部１０４は、論理チャネルとトランスポートチャネルのマッピング、下りリンクおよび上りリンクのスケジューリングなどを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００３０】
また、スケジューリング部１０４は、下りリンクのスケジューリングでは、端末から受信した上りリンク制御情報や上位層１０８から入力されたスケジューリング情報などに基づいて、トランスポートチャネルおよび物理チャネルにおける送信制御やスケジューリング情報の生成を行なう。これら下りリンクのスケジューリングに使用されるスケジューリング情報は、データ制御部１０１へ出力される。
【００３１】
また、スケジューリング部１０４は、上りリンクのスケジューリングでは、チャネル推定部１０５が出力する上りリンクのチャネル状態や上位層１０８から入力されたスケジューリング情報などに基づいて、スケジューリング情報の生成を行なう。これら上りリンクのスケジューリングに使用されるスケジューリング情報は、データ制御部１０１へ出力される。
【００３２】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクのトランスポートチャンネルと制御データを、必要に応じて処理した後に、上りリンクの論理チャネルにマッピングし、上位層１０８へ出力する。
【００３３】
チャネル推定部１０５は、上りリンクデータの復調のために、上りリンク参照信号（例えば、復調用参照信号）から上りリンクのチャネル状態を推定し、受信データ復調部１０６に出力する。また、上りリンクのスケジューリングを行なうために、上りリンク参照信号（例えば、サウンディング参照信号）から上りリンクのチャネル状態を推定し、スケジューリング部１０４に出力する。
【００３４】
受信データ復調部１０６は、受信データを復調する。受信データ復調部１０６は、チャネル推定部１０５から入力された上りリンクのチャネル状態の推定結果に基づいて、無線部１０３から入力された変調データに対し、ＤＦＴ変換、サブキャリアマッピング、ＩＦＦＴ変換などの信号処理を行なって、復調処理を施し、データ抽出部１０７に出力する。
【００３５】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。
【００３６】
上位層１０８は、無線リソース制御（ＲＲＣ；Ｒａｄｉｏ  Ｒｅｓｏｕｒｃｅ  Ｃｏｎｔｒｏｌ）層の処理やＭＡＣ（Ｍｅｄｉａｍ  Ａｃｃｅｓｓ  Ｃｏｎｔｒｏｌ）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００３７】
図２は、本発明の実施形態に係る端末の構成を示す概略ブロック図である。端末は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成される。また、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。ここで、端末を構成する各部を、ユニットとも呼称する。
【００３８】
データ制御部２０１は、スケジューリング部２０４からトランスポートチャネルを受信する。また、データ制御部２０１は、トランスポートチャネルと物理層で生成される信号を、スケジューリング部２０４から入力されるスケジューリング情報に基づいて、物理チャネルにマッピングする。マッピングされた各データは、送信データ変調部２０２へ出力される。
【００３９】
送信データ変調部２０２は、送信データを変調／符号化する。送信データ変調部２０２は、データ制御部２０１から入力されたデータに対して、変調／符号化、入力信号の直列／並列変換、ＩＦＦＴ処理、ＣＰ挿入などの信号処理を行ない、送信データを生成して、無線部２０３へ出力する。
【００４０】
無線部２０３は、送信データ変調部２０２から入力された送信データを無線周波数にアップコンバートして無線信号を生成し、アンテナ２０９を介して、基地局に送信する。また、無線部２０３は、基地局から受信した無線信号を、アンテナ２０９を介して受信し、ベースバンド信号にダウンコンバートして、受信データを、チャネル推定部２０５および受信データ復調部２０６に出力する。
【００４１】
スケジューリング部１０４は、論理チャネルとトランスポートチャネルのマッピング、下りリンクおよび上りリンクのスケジューリングなどを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００４２】
また、スケジューリング部２０４は、下りリンクのスケジューリングでは、基地局から受信した下りリンク制御情報や上位層２０８から入力されたスケジューリング情報などに基づいて、トランスポートチャネルおよび物理チャネルにおける受信制御やスケジューリング情報の生成を行なう。これら下りリンクのスケジューリングに使用されるスケジューリング情報は、データ制御部２０１へ出力される。
【００４３】
また、スケジューリング部２０４は、上りリンクのスケジューリングでは、基地局から受信した下りリンク制御情報や上位層２０８から入力されたスケジューリング情報などに基づいて、上位層２０８から入力された上りリンクの論理チャネルをトランスポートチャネルにマッピングするためのスケジューリング処理、および、上りリンクのスケジューリングに使用されるスケジューリング情報の生成を行なう。これらスケジューリング情報は、データ制御部２０１へ出力される。
【００４４】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Ｃｙｃｌｉｃ  Ｒｅｄｕｎｄａｎｃｙ  Ｃｈｅｃｋ；巡回冗長検査）パリティビット（単に、ＣＲＣとも呼称される）の確認結果についても、データ制御部２０１へ出力する。
【００４５】
また、スケジューリング部２０４は、上りリンク参照信号に関するパラメータを決定し、決定したパラメータを使用して、上りリンク参照信号の生成を行う。すなわち、系列グループホッピングの有効または無効に基づいて、上りリンク参照信号の生成を行う。また、スケジューリング部２０４は、系列ホッピングの有効または無効に基づいて、上りリンク参照信号の生成を行う。
【００４６】
チャネル推定部２０５は、下りリンクデータの復調のために、下りリンク参照信号（例えば、復調用参照信号）から下りリンクのチャネル状態を推定し、受信データ復調部２０６に出力する。また、受信データ復調部２０６は、無線部２０３から入力された受信データを復調し、データ抽出部２０７に出力する。
【００４７】
データ抽出部２０７は、受信データ復調部２０６から入力された受信データに対して、正誤を確認するとともに、確認結果（例えば、ＡＣＫまたはＮＡＣＫ）をスケジューリング部２０４に出力する。また、データ抽出部２０７は、受信データ復調部２０６から入力された受信データからトランスポートチャネルと物理層の制御データに分離して、スケジューリング部２０４に出力する。
【００４８】
上位層２０８は、無線リソース制御層の処理やＭＡＣ層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００４９】
図３は、本発明の実施形態に係る通信の例を示す概略図である。図３において、端末３０３は、プライマリー基地局３０１および／またはセカンダリー基地局３０２と通信を行う。また、端末３０４は、プライマリー基地局３０１および／またはセカンダリー基地局３０２と通信を行う。
【００５０】
図３において、端末は、基地局に対して上りリンク信号を送信する場合、基地局と端末との間において既知の信号である復調用参照信号（ＤＭＲＳ；Ｄｅｍｏｄｕｌａｔｉｏｎ
Ｒｅｆｅｒｅｎｃｅ  Ｓｉｇｎａｌ）を多重して送信する。ここで、上りリンク信号には、上りリンクデータ（上りリンク共用チャネル（ＵＬ−ＳＣＨ；Ｕｐｌｉｎｋ  Ｓｈａｒｅｄ  Ｃｈａｎｎｅｌ）、上りリンクトランスポートブロック）が含まれる。また、上りリンク信号には、上りリンク制御情報（ＵＣＩ；Ｕｐｌｉｎｋ  Ｃｏｎｔｒｏｌ  Ｉｎｆｏｒｍａｔｉｏｎ）が含まれる。ここで、ＵＬ−ＳＣＨは、トランスポートチャネルである。
【００５１】
例えば、上りリンクデータは、物理上りリンク共用チャネル（ＰＵＳＣＨ；Ｐｈｙｓｉｃａｌ  Ｕｐｌｉｎｋ  Ｓｈａｒｅｄ  Ｃｈａｎｎｅｌ）にマップされる。また、上りリンク制御情報は、ＰＵＳＣＨまたは物理上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）にマップされる。すなわち、無線通信システムにおいて、ＰＵＳＣＨの送信（ＰＵＳＣＨでの送信）に関連する復調用参照信号がサポートされる。以下、ＰＵＳＣＨの送信に関連する復調用参照信号を、第１の参照信号とも記載する。
【００５２】
また、ランダムアクセスプリアンブルは、物理ランダムアクセスチャネル（ＰＲＡＣＨ：Ｐｈｙｓｉｃａｌ Ｒａｎｄｏｍｍ  Ａｃｃｅｓｓ  Ｃｈａｎｎｅｌ）にマップされる。端末は、基地局装置に対してランダムアクセスプリアンブルを送信する場合、復調用参照信号が多重せずに送信する。
【００５３】
すなわち、第１の参照信号は、ＰＵＳＣＨの復調に使用される。例えば、第１の参照信号は、対応するＰＵＳＣＨがマップされるリソースブロック（物理リソースブロック、物理リソース、リソースとも呼称される）で送信される。
【００５４】
すなわち、端末３０３は、プライマリー基地局３０１へ送信する上りリンク信号に第１の参照信号を多重して、上りリンク３０５を通じて送信する。また、端末３０３は、セカンダリー基地局３０２へ送信する上りリンク信号に第１の参照信号を多重して、上りリンク３０６を通じて送信する。また、端末３０４は、プライマリー基地局３０１へ送信する上りリンク信号に第１の参照信号を多重して、上りリンク３０７を通じて送信する。また、端末３０４は、セカンダリー基地局３０２へ送信する上りリンク信号に第１の参照信号を多重して、上りリンク３０８を通じて送信する。
【００５５】
ここで、端末３０３によって送信される第１の参照信号と、端末３０４によって送信される第１の参照信号が、同一の特性である場合、干渉が生じてしまう。例えば、複数の端末のそれぞれによって送信される第１の参照信号において干渉が生じた場合、上りリンク信号を復調するために利用される伝送路状態の推定精度が大幅に劣化することになる。
【００５６】
そのため、端末３０３によって送信される第１の参照信号と、端末３０４によって送信される第１の参照信号を、直交化させることが望ましい。また、端末３０３によって送信される第１の参照信号と、端末３０４によって送信される第１の参照信号の干渉を、ランダム化させることが望ましい。
【００５７】
また、図３において、下りリンクと上りリンクにおいて、複数のサービングセル（単に、セルとも呼称される）の集約がサポートされる（キャリアアグリゲーション、または、セルアグリゲーションと呼称される）。例えば、サービングセルそれぞれにおいて、１１０リソースブロックまでの送信帯域幅を使用することができる。ここで、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００５８】
また、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００５９】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００６０】
すなわち、キャリアアグリゲーションにおいて、広送信帯域幅をサポートするために複数のコンポーネントキャリアが集約される。ここで、例えば、プライマリー基地局３０１をプライマリセルと、セカンダリー基地局３０２をセカンダリセルとみなす（基地局が、端末へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００６１】
図４は、下りリンク信号の例を示す図である。図４には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ）、下りリンクトランスポートブロック）がマップされる物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）のリソース領域が示されている。ここで、ＤＬ−ＳＣＨは、トランスポートチャネルである。
【００６２】
また、下りリンク制御情報（ＤＣＩ；Ｄｏｗｎｌｉｎｋ  Ｃｏｎｔｏｌ  Ｉｎｆｏｒｍａｔｉｏｎ）がマップされる物理下りリンク制御チャネル（ＰＤＣＣＨ；Ｐｈｙｓｉｃａｌ  Ｄｏｗｎｌｉｎｋ  Ｃｏｎｔｒｏｌ  ＣｈａｎｎｅｌＰＤＣＣＨ）のリソース領域が示されている。また、下りリンク制御情報がマップされるＥ−ＰＤＣＣＨ（Ｅｎｈａｎｃｅｄ−ＰＤＣＣＨ）のリソース領域が示されている。
【００６３】
例えば、ＰＤＣＣＨは、下りリンクのリソース領域における１番目から３番目までのＯＦＤＭシンボルにマップされる。また、Ｅ−ＰＤＣＣＨは、下りリンクのリソース領域における４番目から１２番目のＯＦＤＭシンボルにマップされる。また、Ｅ−ＰＤＣＣＨは、１サブフレームにおける第１スロットと第２スロットにマップされる。また、ＰＤＳＣＨとＥ−ＰＤＣＣＨは、ＦＤＭ（Ｆｒｅｑｕｅｎｃｙ  Ｄｉｖｉｓｉｏｎ  Ｍｕｌｔｉｐｌｅｘｉｎｇ）される。本実施形態において、Ｅ−ＰＤＣＣＨは、ＰＤＣＣＨに含まれる。
【００６４】
ここで、ＰＤＣＣＨは、下りリンク制御情報を端末へ通知（指定）するために使用される。また、ＰＤＣＣＨで送信される下りリンク制御情報に対して、複数のフォーマットが定義される。ここで、下りリンク制御情報のフォーマットは、ＤＣＩフォーマットとも呼称される。
【００６５】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２が定義される。
【００６６】
例えば、下りリンクに対するＤＣＩフォーマットには、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＤＳＣＨのスケジューリングに使用されるＤＣＩフォーマットを、下りリンクアサインメントとも記載する。
【００６７】
また、例えば、上りリンクに対するＤＣＩフォーマットとして、１つのセルにおける１つのＰＵＳＣＨ（１つのＰＵＳＣＨのコードワード、１つの上りリンクトランスポートブロックの送信）のスケジューリングに使用されるＤＣＩフォーマット０が定義される。また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４が定義される。すなわち、ＤＣＩフォーマット４は、複数のアンテナポートを使用したＰＵＳＣＨでの送信（送信モード）をスケジューリングするために使用される。
【００６８】
例えば、上りリンクに対するＤＣＩフォーマットには、ＰＵＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＵＳＣＨのスケジューリングに使用されるＤＣＩフォーマットを、上りリンクグラントとも記載する。
【００６９】
また、ＰＤＳＣＨは、下りリンクデータの送信に使用される。さらに、ＰＤＳＣＨは、ランダムアクセスレスポンスグラントを端末へ通知（指定）するために使用される。ここで、ランダムアクセスレスポンスグラントは、ＰＵＳＣＨのスケジューリングに使用される。ここで、ランダムアクセスレスポンスグラントとは、上位層（例えば、ＭＡＣ層）によって物理層へ指示される。
【００７０】
例えば、基地局は、ランダムアクセスプロシージャにおけるメッセージ２として送信されるランダムアクセスレスポンスに、ランダムアクセスレスポンスグラントを含めて送信する。また、基地局は、ランダムアクセスプロシージャにおいて、端末によって送信されたメッセージ１に対応するランダムアクセスレスポンスグラントを送信する。また、基地局は、ランダムアクセスプロシージャにおけるメッセージ３の送信のためにランダムアクセスレスポンスグラントを送信する。すなわち、ランダムアクセスレスポンスグラントは、ランダムアクセスプロシージャにおいて、メッセージ３の送信のためのＰＵＳＣＨをスケジュールするために使用されることができる。
【００７１】
図４において、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨが配置および送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、ＰＤＣＣＨ候補のセット内のＰＤＣＣＨそれぞれに対して、端末がデコードを試みるということを意味する。ここで、端末がモニタするＰＤＣＣＨ候補のセットは、サーチスペースとも呼称される。すなわち、サーチスペースとは、基地局によってＰＤＣＣＨの送信に用いられる可能性のあるリソースのセットである。
【００７２】
さらに、ＰＤＣＣＨのリソース領域には、コモンサーチスペース（ＣＳＳ；Ｃｏｍｍｏｎ  Ｓｅａｒｃｈ  Ｓｐａｃｅ、共通サーチスペース）とユーザー装置スペシフィックサーチスペース（ＵＳＳ；ＵＥ−Ｓｐｅｃｉｆｉｃ  Ｓｅａｃｈ  Ｓｐａｃｅ、端末固有（端末特有）のサーチスペース）が構成（定義、設定）される。
【００７３】
すなわち、図４において、ＰＤＣＣＨのリソース領域に、ＣＳＳおよび／またはＵＳＳが構成される。また、Ｅ−ＰＤＣＣＨのリソース領域に、ＣＳＳおよび／またはＵＳＳが構成される。端末は、ＰＤＣＣＨのリソース領域のＣＳＳおよび／またはＵＳＳにおいてＰＤＣＣＨをモニタし、自装置宛てのＰＤＣＣＨを検出する。また、端末は、Ｅ−ＰＤＣＣＨのリソース領域のＣＳＳおよび／またはＵＳＳにおいてＥ−ＰＤＣＣＨをモニタし、自装置宛てのＰＤＣＣＨを検出する。  ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め定められた番号のＣＣＥから構成される。例えば、ＣＳＳは、インデックスが０から１５までのＣＣＥから構成される。ここで、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信する。
【００７４】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号や、アグリゲーションレベルなどに基づいて決定された番号のＣＣＥから構成される。ここで、ＲＮＴＩには、Ｃ−ＲＮＴＩ（Ｃｅｌｌ  ＲＮＴＩ）やＴｅｍｐｏｒａｒｙ  Ｃ−ＲＮＴＩが含まれる。すなわち、基地局は、ＵＳＳにおいて、特定の端末を対象とするＤＣＩフォーマットを送信する。
【００７５】
ここで、下りリンク制御情報の送信（ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査パリティビット（単に、ＣＲＣとも呼称される）が下りリンク制御情報に付加され、付加された後に、ＣＲＣパリティビットがＲＮＴＩでスクランブルされる。
【００７６】
端末は、ＲＮＴＩでスクランブルされたＣＲＣパリティビットを伴う下りリンク制御情報に対してデコードを試み、ＣＲＣが成功したＰＤＣＣＨを、自装置宛のＰＤＣＣＨとして検出する（ブラインドデコーディングとも呼称される）。ここで、ＲＮＴＩには、Ｃ−ＲＮＴＩやＴｅｍｐｏｒａｒｙ  Ｃ−ＲＮＴＩが含まれる。すなわち、端末は、Ｃ−ＲＮＴＩによってスクランブルされたＣＲＣを伴うＰＤＣＣＨをデコードする。また、端末は、Ｔｅｍｐｏｒａｒｙ  Ｃ−ＲＮＴＩによってスクランブルされたＣＲＣを伴うＰＤＣＣＨをデコードする。
【００７７】
ここで、Ｃ−ＲＮＴＩとは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。
【００７８】
また、Ｔｅｍｐｏｒａｒｙ  Ｃ−ＲＮＴＩは、ランダムアクセスプロシージャに対して使用される識別子である。ここで、基地局は、Ｔｅｍｐｏｒａｒｙ  Ｃ−ＲＮＴＩをランダムアクセスレスポンスに含めて送信する。例えば、Ｔｅｍｐｏｒａｒｙ  Ｃ−ＲＮＴＩは、ランダムアクセスプロシージャにおいて、ランダムアクセスプロシージャを行なっている端末を識別するために使用される。また、Ｔｅｍｐｏｒａｒｙ  Ｃ−ＲＮＴＩは、ランダムアクセスプロシージャにおけるメッセージ３の再送信のために利用される。すなわち、基地局は、端末がメッセージ３を再送信するために、Ｔｅｍｐｏｒａｒｙ  Ｃ−ＲＮＴＩによってスクランブルされたＣＲＣを伴うＰＤＣＣＨで下りリンク制御情報を送信する。すなわち、端末は、ＣＲＣが、いずれのＲＮＴＩでスクランブルされているかに基づいて、下りリンク制御情報の解釈を変更する。
【００７９】
ここで、例えば、端末は、基地局との時間領域における同期をとるために、ランダムアクセスプロシージャを実行する。また、端末は、初期コネクション確立（ｉｎｉｔｉａｌ
ｃｏｎｎｅｃｔｉｏｎ  ｅｓｔａｂｌｉｓｈｍｅｎｔ）のために、ランダムアクセスプロシージャを実行する。また、端末は、ハンドオーバーのために、ランダムアクセスプロシージャを実行する。また、端末は、コネクション再確立（ｃｏｎｎｅｃｔｉｏｎ  ｒｅ−ｅａｔａｂｌｉｓｈｍｅｎｔ）のために、ランダムアクセスプロシージャを実行する。また、端末は、ＵＬ−ＳＣＨのリソースを要求するために、ランダムアクセスプロシージャを実行する。
【００８０】
本実施形態のランダムアクセスプロシージャの一例を説明する。
【００８１】
端末は、基地局がＰＤＳＣＨを用いて送信するＳＩＢ２（Ｓｙｓｔｅｍ  Ｉｎｆｏｒｍａｔｉｏｎ  Ｂｌｏｃｋ  Ｔｙｐｅ２）を取得する。ＳＩＢ２は、セル内の全ての端末（複数の端末でも良い）に対して共通の設定（共通の情報）である。当該共通の設定には、ＰＲＡＣＨの設定が含まれる。
【００８２】
端末は、ランダムアクセスプリアンブルの番号をランダムに選択する。端末は、選択した番号のランダムアクセスプリアンブル（メッセージ１）を、ＰＲＡＣＨを使用して基地局に送信する。基地局は、ＰＲＡＣＨを使用してランダムアクセスプリアンブルを受信する。基地局は、ランダムアクセスプリアンブルを用いて上りリンクの送信タイミングを推定する。基地局は、ＰＤＳＣＨを使用してランダムアクセスレスポンス（メッセージ２）を送信する。ランダムアクセスレスポンスには、基地局が検出したランダムアクセスプリアンブルに対する複数の情報を含む。当該複数の情報は、ランダムアクセスプリアンブルの番号、Ｔｅｍｐｏｒａｒｙ  Ｃ−ＲＮＴＩ、ＴＡコマンド（Ｔｉｍｉｎｇ  Ａｄｖａｎｃｅ  ｃｏｍｍａｎｄ）およびランダムアクセスレスポンスグラントを含む。ＴＡコマンドは、端末に対して上りリンクの送信タイミングの調整を指示するために用いられる。端末は、ランダムアクセスレスポンスに、送信したランダムアクセスプリアンブルの番号が含まれていた場合、当該ランダムアクセスレスポンスが自装置を対象としている判断する。
【００８３】
端末は、ランダムアクセスレスポンスに含まれているＴＡコマンドに基づいて上りリンクの送信タイミングを調整する。端末は、ランダムアクセスレスポンスグラントによってスケジューリングされたＰＵＳＣＨを用いて上りリンクデータ（メッセージ３）を基地局に送信する。該上りリンクデータには、端末を識別する識別子（ＩｎｉｔｉａｌＵＥ−ＩｄｅｎｔｉｔｙまたはＣ−ＲＮＴＩを示す情報）が含まれる。端末は、Ｃ−ＲＮＴＩをセットしている場合、該上りリンクデータにＣ−ＲＮＴＩを示す情報を含めて送信する。端末は、Ｃ−ＲＮＴＩをセットしていない場合、該上りリンクデータにＩｎｉｔｉａｌＵＥ−Ｉｄｅｎｔｉｔｙを含めて送信する。端末は、Ｓ−ＴＭＳＩ（System architecture evolution Temporary Mobile Subscriber Identity: S-TMSI）を提供されている際には、Ｓ−ＴＭＳＩをＩｎｉｔｉａｌＵＥ−Ｉｄｅｎｔｉｔｙにセットする。また、端末は、Ｓ−ＴＭＳＩを提供されていない際には、０から２４０−１までの範囲の中からランダムに値を選択し、選択した値をＩｎｉｔｉａｌＵＥ−Ｉｄｅｎｔｉｔｙにセットする。Ｓ−ＴＭＳＩは、トラッキングエリア内にて端末を識別するために使用される識別子である。
【００８４】
基地局は、メッセージ３の復号に失敗した場合、Ｔｅｍｐｏｒａｒｙ  Ｃ−ＲＮＴＩによってスクランブルされたＣＲＣを伴うＰＤＣＣＨを使用して、メッセージ３の再送を指示する下りリンク制御情報を送信することができる。端末は、Ｔｅｍｐｏｒａｒｙ  Ｃ−ＲＮＴＩによってスクランブルされたＣＲＣを伴うＰＤＣＣＨを使用して、メッセージ３の再送信を指示する下りリンク制御情報を受信した場合、メッセージ３の再送を行なう。また、基地局は、メッセージ３の復号に失敗した場合、（Ｐｈｙｓｉｃａｌ  Ｈｙｂｒｉｄ−ＡＲＱ  ｉｎｄｉｃａｔｏｒ  ｃｈａｎｎｅｌ）を用いて受信したＮＡＣＫを送信することができる。端末は、ＰＨＩＣＨを使用してＮＡＣＫを受信した場合、メッセージ３の再送を行なう。
【００８５】
基地局は、メッセージ３の復号に成功し、メッセージ３を取得することによって、何れの端末がランダムアクセスプリアンブルおよびメッセージ３の送信を行なっていたかを知ることができる。つまり、基地局は、メッセージ３の復号に成功する前は、何れの端末がランダムアクセスプリアンブルおよびメッセージ３の送信を行なっているかを知ることはできない。
【００８６】
基地局は、ＩｎｉｔｉａｌＵＥ−Ｉｄｅｎｔｉｔｙを受信した場合、ＰＤＳＣＨを使用して、受信したＩｎｉｔｉａｌＵＥ−Ｉｄｅｎｔｉｔｙと同じ値のコンテンションレゾリューション識別子（ｃｏｎｔｅｎｔｉｏｎ  ｒｅｓｏｌｕｔｉｏｎ  ｉｄｅｎｔｉｔｙ）（メッセージ４）を端末に送信する。端末は、受信したコンテンションレゾリューション識別子の値と送信したＩｎｉｔｉａｌＵＥ−Ｉｄｅｎｔｉｔｙの値がマッチした場合に、（１）ランダムアクセスプリアンブルのコンテンションレゾリューションに成功したとみなし、（２）Ｔｅｍｐｏｒａｒｙ  Ｃ−ＲＮＴＩの値をＣ−ＲＮＴＩにセットし、（３）Ｔｅｍｐｏｒａｒｙ  Ｃ−ＲＮＴＩを破棄し、（４）ランダムアクセスプロシージャを正しく完了したとみなす。
【００８７】
基地局は、Ｃ−ＲＮＴＩを示す情報を受信した場合、受信したＣ−ＲＮＴＩによってスクランブルされたＣＲＣを伴うＰＤＣＣＨを使用して下りリンク制御情報（メッセージ４）を端末に送信する。端末は、Ｃ−ＲＮＴＩによってスクランブルされたＣＲＣを伴うＰＤＣＣＨをデコードした場合に、（１）ランダムアクセスプリアンブルのコンテンションレゾリューションに成功したとみなし、（２）Ｔｅｍｐｏｒａｒｙ  Ｃ−ＲＮＴＩを破棄し、（３）ランダムアクセスプロシージャを正しく完了したとみなす。
【００８８】
端末は、ＰＤＣＣＨで送信された下りリンク制御情報によってＰＤＳＣＨのリソースがスケジュールされた場合、スケジュールされたＰＤＳＣＨで下りリンクデータを受信する。また、端末は、ＰＤＣＣＨで送信された下りリンク制御情報によってＰＵＳＣＨのリソースがスケジュールされた場合、スケジュールされたＰＵＳＣＨで上りリンクデータおよび／または上りリンク制御情報を送信する。ここで、ＰＵＳＣＨで送信される上りリンクデータおよび／または上りリンク制御情報には、第１の参照信号が多重される。
【００８９】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、ある端末に対して固有な（特有な）設定（情報）は、基地局によって、ｄｅｄｉｃａｔｅｄ  ｓｉｇｎａｌを使用して通知される。
【００９０】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（ｈｉｇｈｅｒ
ｌａｙｅｒ  ｓｉｇｎａｌｉｎｇ）とも呼称される。
【００９１】
以下に、参照信号系列ｒ(α)u,νの生成方法の例を記載する。ここで、参照信号系列は、第１の参照信号の系列の生成に使用される。例えば、参照信号系列は、基準系列ｒ￣(α)u,ν(ｎ)のサイクリックシフトによって、数式１に従って定義される。
【数式１】
【００９２】
0006054822.tif 000002
【００９３】
すなわち、基準系列に対してサイクリックシフトαが適用され、参照信号系列が生成される。また、異なるサイクリックシフトαの値によって、単一の基準系列から複数の参照信号系列が定義される。ここで、ＭＳＣＲＳは参照信号系列の長さであり、例えば、ＭＳＣＲＳ＝ｍＮＳＣＲＢによって表される。また、ＮＳＣＲＢは、周波数領域におけるリソースブロックのサイズであり、例えば、サブキャリアの数によって表される。
【００９４】
また、基準系列は、グループに分割される。すなわち、基準系列は、グループ番号（系列グループ番号とも呼称される）ｕと、グループ内の基準系列番号νによって表される。例えば、基準系列は、３０のグループに分割され、それぞれのグループには、２つの基準系列が含まれる。また、３０のグループに対して、系列グループホッピングが適用される。また、２つの基準系列に対して、系列ホッピングが適用される。
【００９５】
ここで、系列グループ番号ｕと基準系列番号νのそれぞれは、時間において変化することができる。また、基準系列の定義は、系列の長さＭＳＣＲＳに依存し、例えば、ＭＳＣＲＳ≧３ＮＳＣＲＢの場合には、数式２によって与えられる。
【数式２】
【００９６】
0006054822.tif 000003
【００９７】
ここで、ｑ番目のルートＺａｄｏｆｆ−Ｃｈｕ系列ｘｑ（ｍ）は、数式３によって定義される。
【数式３】
【００９８】
0006054822.tif 000004
【００９９】
ここで、ｑは数式４によって与えられる。
【数式４】
【０１００】
0006054822.tif 000005
【０１０１】
ここで、Ｚａｄｏｆｆ−Ｃｈｕ系列の長さＮＺＣＲＳは、ＮＺＣＲＳ＜ＭＳＣＲＳを満たす最大の素数によって与えられる。
【０１０２】
また、スロットｎｓにおける系列グループ番号ｕは、グループホッピングパターンｆｇｈ（ｎｓ）と系列シフトパターンｆｓｓによって、数式５に従って定義される。
【数式５】
【０１０３】
0006054822.tif 000006
【０１０４】
ここで、基地局は、系列グループホッピング（単に、グループホッピングとも呼称される）の有効または無効を端末に指示することができる。端末は、基地局によって系列グループホッピングを有効にするように指示された場合には、参照信号系列のグループをスロット毎にホッピングする。すなわち、端末は、系列グループホッピングの有効または無効に応じて、参照信号系列のグループをスロット毎にホッピングさせるかどうかを決定する。
【０１０５】
ここで、例えば、グループホッピングパターンｆｇｈ（ｎｓ）は、数式６によって与えられる。
【数式６】
【０１０６】
0006054822.tif 000007
【０１０７】
ここで、擬似ランダム系列ｃ（ｉ）は、数式７によって定義される。例えば、擬似ランダム系列は、長さ３１のゴールド系列によって定義され、数式７によって与えられる。
【数式７】
【０１０８】
0006054822.tif 000008
【０１０９】
ここで、例えば、Ｎｃ＝１６００である。また、第１のｍ系列ｘ１は、ｘ１（０）＝１、ｘ１（ｎ）＝０、ｎ＝１、２、…、３０によって初期化される。また、第２のｍ系列ｘ２は、数式８によって初期化される。
【数式８】
【０１１０】
0006054822.tif 000009
【０１１１】
ここで、ｃinitは、数式９で定義される。すなわち、グループホッピングパターンｆｇｈ（ｎｓ）の擬似ランダム系列は、数式９によって初期化される。
【数式９】
【０１１２】
0006054822.tif 000010
【０１１３】
ここで、物理レイヤセルアイデンティティＮＩＤｃｅｌｌの説明は後述する。また、ＰＵＳＣＨに対する系列シフトパターンｆｓｓＰＵＳＣＨは、数式１０で与えられる。
【数式１０】
【０１１４】
0006054822.tif 000011
【０１１５】
ここで、パラメータΔｓｓの説明は後述する。
【０１１６】
また、スロットｎｓにおける基準系列グループ内の基準系列番号νは、数式１１によって定義される。ここで、系列ホッピングは、参照信号の長さが６ＮＳＣＲＢ以上に対してのみ適用されても良い。すなわち、参照信号の長さが６ＮＳＣＲＢ未満に対して、基準系列番号νは、ν＝０によって与えられる。
【数式１１】
【０１１７】
0006054822.tif 000012
【０１１８】
ここで、基地局は、系列ホッピングの有効または無効を端末に指示することができる。端末は、基地局によって系列ホッピングを有効にするように指示された場合には、グループ内において、参照信号系列をスロット毎にホッピングする。すなわち、端末は、系列ホッピングの有効または無効に応じて、参照信号系列をスロット毎にホッピングするかどうかを決定する。
【０１１９】
ここで、擬似ランダム系列ｃ（ｉ）は、数式７および数式８によって定義される。また、ｃinitは、数式１２で定義される。すなわち、基準系列番号νの擬似ランダム系列は、数式１２によって初期化される。
【数式１２】
【０１２０】
0006054822.tif 000013
【０１２１】
以下に、第１の参照信号の系列の生成方法の例を記載する。すなわち、ＰＵＳＣＨに対する復調用参照信号の生成方法を記載する。例えば、レイヤλ∈{０、１、…、υ−１}に関連するＰＵＳＣＨの復調用参照信号系列γ(λ)ＰＵＳＣＨ（・)は、数式１３によって定義される。
【数式１３】
【０１２２】
0006054822.tif 000014
【０１２３】
ここで、υは、送信レイヤ数を示している。また、例えば、ｍ＝０または１によって示される。また、ｎ＝０、…、ＭＳＣＲＳ−１によって示される。また、ＭＳＣＲＳ＝ＭＳＣＰＵＳＣＨである。ここで、ＭＳＣＰＵＳＣＨは、上りリンクの送信（ＰＵＳＣＨでの送信）に対して、基地局によってスケジュールされた帯域幅であり、例えば、サブキャリアの数によって表される。さらに、ｗ(λ)(ｍ)は、オーソゴナルシーケンスを示している。
【０１２４】
また、スロットｎｓにおけるサイクリックシフトαλは、αλ＝２πｎｃｓ、λによって与えられる。ここで、ｎｃｓ、λは、数式１５によって表される。すなわち、ＰＵＳＣＨに関連する第１の参照信号に適用されるサイクリックシフトは、数式１４によって定義される。
【数式１４】
【０１２５】
0006054822.tif 000015
【０１２６】
ここで、ｎ(１)ＤＭＲＳは、基地局装置によって上位層の信号を使用して通知される。また、ｎ(２)ＤＭＲＳ、λは、基地局装置によってＤＣＩフォーマットを使用して指示される。また、数量ｎＰＮ（ｎｓ）は、数式１５によって与えられる。
【数式１５】
【０１２７】
0006054822.tif 000016
【０１２８】
ここで、擬似ランダム系列ｃ（ｉ）は、数式７および数式８によって定義される。また、ｃinitは、数式１７で定義される。すなわち、ＰＵＳＣＨに関連する第１の参照信号に適用されるサイクリックシフトは、数式１６によって初期化される。
【数式１６】
【０１２９】
0006054822.tif 000017
【０１３０】
ここで、上述の数式において、ＮＩＤｃｅｌｌは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子とも呼称される）を示している。すなわち、ＮＩＤｃｅｌｌは、セル（基地局）固有（セル（基地局）特有）なアイデンティティを示している。すなわち、ＮＩＤｃｅｌｌは、セルの物理レイヤアイデンティティを示している。例えば、ＮＩＤｃｅｌｌは、プライマリセルに対応するＮＩＤｃｅｌｌであっても良い。
【０１３１】
例えば、端末は、ＮＩＤｃｅｌｌを、同期信号（Ｓｙｎｃｈｒｏｎｉｚａｔｉｏｎ  ｓｉｇｎａｌｓ）を用いて検出することができる。また、端末は、基地局によって送信される上位層の信号（例えば、バンドオーバーコマンド）に含まれる情報から、ＮＩＤｃｅｌｌを取得することができる。
【０１３２】
また、上述の数式において、例えば、パラメータΔｓｓは、Δｓｓ∈｛０、１、…、２９｝によって示される。ここで、パラメータΔｓｓは、セル（基地局）固有なパラメータである。例えば、端末は、パラメータΔｓｓを、ＳＩＢ２（Ｓｙｓｔｅｍ  Ｉｎｆｏｒｍａｔｉｏｎ  Ｂｌｏｃｋ  Ｔｙｐｅ２）を使用して受信することができる。ここで、ＳＩＢ２は、セル内の全ての端末（複数の端末でも良い）に対して共通の設定（共通の情報）である。すなわち、端末は、セル内の全ての端末に対して共通の情報を使用して、パラメータΔｓｓを指定される。
【０１３３】
図５は、本実施形態を説明するフローチャートである。上述したように、基地局は、端末に対して、参照信号系列の系列グループホッピングの有効または無効を指示することができる。
【０１３４】
ここで、系列グループホッピングの有効または無効を指示するための情報として、第１のパラメータ（Ｇｒｏｕｐ−ｈｏｐｐｉｎｇ−ｅｎａｂｌｅｄとも呼称される）を使用することができる。すなわち、第１のパラメータは、系列グループホッピングが有効かどうかを決定するために使用される。また、系列グループホッピングの無効を指示するための情報として、第２のパラメータ（Ｄｉｓａｂｌｅ−ｓｅｑｕｅｎｃｅ−ｈｏｐｐｉｎｇとも呼称される）が使用することができる。すなわち、第２のパラメータは、系列グループホッピングが無効かどうかを決定するために使用される。ここで、第２のパラメータは、系列グループホッピングの有効を指示することはできない。
【０１３５】
ここで、第１のパラメータは、セル固有（セルスペシフィック；Ｃｅｌｌ−ｓｐｅｃｉｆｉｃ）に設定される。例えば、第１のパラメータは、ＳＩＢ２（Ｓｙｓｔｅｍ  Ｉｎｆｏｒｍａｔｉｏｎ  Ｂｌｏｃｋ  Ｔｙｐ２  ２）を使用して送信される。ここで、ＳＩＢ２は、セル内の全ての端末（複数の端末でも良い）に対して共通の設定（共通の情報）である。すなわち、第２のパラメータは、セル固有のパラメータ（ｃｅｌｌ−ｓｐｅｃｉｆｉｃ  ｐａｒａｍｅｔｅｒ）である。ここで、第１のパラメータを、セルスペシフィックパラメータとも記載する。
【０１３６】
また、第２のパラメータは、端末固有（ユーザー装置スペシフィック；ＵＥ−ｓｐｅｃｉｆｉｃ）に設定される。例えば、第２のパラメータは、ｄｅｄｉｃａｔｅｄ  ｓｉｎｇａｌを使用して設定される。また、第２のパラメータは、ＤＣＩフォーマットに含まれる下りリンク制御情報を使用して指示されても良い。すなわち、第２のパラメータは、端末固有のパラメータ（ＵＥ−ｓｐｅｃｉｆｉｃ  ｐａｒａｍｅｔｅｒ）である。以下、第２のパラメータを、ユーザー装置スペシフィックパラメータとも記載する。
【０１３７】
ここで、例えば、基地局は、ｄｅｄｉｃａｔｅｄ  ｓｉｎｇａｌに第２のパラメータを含めて送信することによって、系列グループホッピングの無効を指示することができる。すなわち、基地局は、第２のパラメータを端末へ送信することによって、系列グループホッピングの無効を指示することができる。端末は、ｄｅｄｉｃａｔｅｄ  ｓｉｎｇａｌに第２のパラメータが含まれている場合には、系列グループホッピングを無効とする。
【０１３８】
また、基地局は、第１のパラメータを使用して系列グループホッピングを有効に設定した場合であっても、第２のパラメータを使用して、系列グループホッピングの無効を設定することができる。すなわち、例えば、第２のパラメータは、セル固有に系列グループホッピングが有効とされたにも関わらず、ある特定の端末に対する系列グループホッピングを無効とするために使用される。
【０１３９】
図５を使用して、端末による系列グループホッピングの有効または無効の決定方法を説明する。図５において、端末は、基地局によって送信された第１のパラメータを識別する（ステップ５０１）。ここで、端末は、系列グループホッピングの無効が設定されていた場合（ｄｉｓａｂｌｅ）には、系列グループホッピングを無効にして第１の参照信号を生成する。また、端末は、生成した第１の参照信号を送信する。
【０１４０】
また、端末は、基地局によって送信された第１のパラメータを識別し、系列グループホッピングの有効が設定されていた場合（ｅｎａｂｌｅ）には、第２のパラメータを識別する。すなわち、例えば、端末は、第２のパラメータが設定されているかどうかを識別する（ステップ５０２）。ここで、端末は、第２のパラメータが設定されていなかった場合（例えば、ｄｅｄｉｃａｔｅｄ  ｓｉｎｇａｌを用いて第２のパラメータを受信しなかった場合）（なし）には、系列グループホッピングを有効にして第１の参照信号を生成する。また、端末は、生成した第１の参照信号を送信する。
【０１４１】
さらに、端末は、第２のパラメータが設定されていた場合（例えば、ｄｅｄｉｃａｔｅｄ  ｓｉｎｇａｌを用いて第２のパラメータを受信した場合）（あり）には、ＤＣＩフォーマットを識別する（ステップ５０３）。すなわち、端末は、対応するＰＵＳＣＨでの送信のスケジューリングに使用されるＤＣＩフォーマットを識別する。
【０１４２】
ここで、端末は、ＤＣＩフォーマットを識別（検出、受信）しなかった場合には、系列グループホッピングを有効にして第１の参照信号を生成する。また、端末は、生成した第１の参照信号を送信する。
【０１４３】
ここで、端末は、ＤＣＩフォーマット４を識別（検出、受信）した場合（ＤＣＩ  ｆｏｒｍａｔ  ４）には、系列グループホッピングを無効にして第１の参照信号を生成する。また、端末は、生成した第１の参照信号を送信する。ここで、例えば、ＤＣＩフォーマット４は、ＵＳＳのみにおいて送信される。すなわち、端末は、ＵＳＳのみにおいて送信されるＤＣＩフォーマットを識別した場合には、系列グループホッピングを無効にして第１の参照信号を生成する。
【０１４４】
また、端末は、ＤＣＩフォーマット０を識別（検出、受信）した場合（ＤＣＩ  ｆｏｒｍａｔ  ０）には、ＣＲＣにスクランブルされたＲＮＴＩを識別する（ステップ５０４）。ここで、例えば、ＤＣＩフォーマット０は、ＣＳＳおよび／またはＵＳＳにおいて送信される。すなわち、端末は、ＣＳＳにおいて送信することが可能なＤＣＩフォーマットを識別した場合には、ＲＮＴＩを識別する。以下、ＤＣＩフォーマット０を、所定の下りリンク情報フォーマットとも記載する。また、ＤＣＩフォーマット４を、所定の下りリンク情報フォーマット以外の下りリンク情報フォーマットとも記載する。
【０１４５】
ここで、端末が受信したＤＣＩフォーマットとは、対応するＰＵＳＣＨでの送信に関連するトランスポートブロックに対する、最も近い上りリンクに関連する下りリンク制御情報（ｍｏｓｔ  ｒｅｃｅｎｔ  ｕｐｌｉｎｋ−ｒｅｌａｔｅｄ  ＤＣＩ）が含まれるＤＣＩフォーマットを示している。
【０１４６】
また、端末がＤＣＩフォーマットを受信していないとは、対応するＰＵＳＣＨでの送信に関連するトランスポートブロックに対するＤＣＩフォーマットを一度も受信していないことを示している。例えば、ランダムアクセスレスポンスグラントによってスケジュールされたトランスポートブロックの初期送信を行なう場合、または、該トランスポートブロックの再送信を指示するＤＣＩフォーマットを受信せず、ＰＨＩＣＨ（Ｐｈｙｓｉｃａｌ
Ｈｙｂｒｉｄ−ＡＲＱ  ｉｎｄｉｃａｔｏｒ  ｃｈａｎｎｅｌ）を用いて受信したＮＡＣＫに従って該トランスポートブロックの再送信を行なう場合、ＰＵＳＣＨを用いて送信するトランスポートブロックに対するＤＣＩフォーマットはない。
【０１４７】
ここで、ＰＨＩＣＨは、上りリンクデータに対するＡＣＫ／ＮＡＣＫを示す情報（ＨＡＲＱにおけるＡＣＫ／ＮＡＣＫとも呼称される）を送信するために使用されるチャネルである。基地局は、端末によって送信された上りリンクデータに対するＡＣＫ／ＮＡＣＫを示す情報をＰＨＩＣＨで送信する。
【０１４８】
また、端末は、ＣＲＣがＣ−ＲＮＴＩでスクランブルされていた場合（Ｃ−ＲＮＴＩ）には、系列グループホッピングを無効にして第１の参照信号を生成する。また、端末は、生成した第１の参照信号を送信する。ここで、端末は、ＣＲＣがｔｅｍｐｏｒａｒｙ  Ｃ−ＲＮＴＩでスクランブルされていた場合（ｔｅｍｐｏｒａｒｙ  Ｃ−ＲＮＴＩ）には、系列グループホッピングを有効にして第１の参照信号を生成する。また、端末は、生成した第１の参照信号を送信する。
【０１４９】
ここで、ＣＲＣがスクランブルされたＲＮＴＩとは、対応するＰＵＳＣＨでの送信に関連するトランスポートブロックに対する、最も近い上りリンクに関連する下りリンク制御情報を送信するために使用されるＲＮＴＩを示している。
【０１５０】
すなわち、端末は、セル固有のパラメータおよび／または端末固有のパラメータおよび／またはＤＣＩフォーマットおよび／またはＲＮＴＩ、に基づいて、系列グループホッピングの有効または無効を切り換えることができる。
【０１５１】
すなわち、端末は、ＤＣＩフォーマットおよび／またはＣＲＣにスクランブルされたＲＮＴＩ、に基づいて、セル固有に設定されたパラメータに従うか、端末固有のパラメータに従うか、を決定する。
【０１５２】
すなわち、第１のパラメータは、端末固有に系列グループホッピングが無効とされたにも関わらず、ランダムアクセスレスポンスグラントによってトランスポートブロックに対するＰＵＳＣＨがスケジュールされ、および該トランスポートブロックに対する上りリンクグラントを受信していない場合には、系列グループホッピングを有効または無効とするために使用されることができる。
【０１５３】
また、第１のパラメータは、端末固有に系列グループホッピングが無効とされたにも関わらず、もし、対応するＰＵＳＣＨでの送信に関連するトランスポートブロックに対する、最も近い上りリンクに関連する下りリンク制御情報を送信するためにｔｅｍｐｏｒａｒｙ  Ｃ−ＲＮＴＩが使用された場合には、系列グループホッピングを有効または無効とするために使用されることができる。
【０１５４】
すなわち、第１のパラメータは、端末固有に系列グループホッピングが無効とされたにも関わらず、もし、メッセージ３の送信を行なう場合には、系列グループホッピングを有効または無効とするために使用されることができる。
【０１５５】
また、第２のパラメータは、セル固有に系列グループホッピングが有効とされたにも関わらず、もし、対応するＰＵＳＣＨでの送信に関連するトランスポートブロックに対する、最も近い上りリンクに関連する下りリンク制御情報を送信するためにＣ−ＲＮＴＩが使用された場合には、ある特定の端末に対する系列グループホッピングを無効とするために使用されることができる。すなわち、第２のパラメータは、もし、メッセージ３以外の上りリンクデータの送信を行なう場合には、ある特定の端末に対する系列グループホッピングを無効とするために使用されることができる。
【０１５６】
また、基地局は、端末に対して、参照信号系列の系列ホッピングの有効または無効を指示することができる。
【０１５７】
ここで、系列ホッピングの有効または無効を指示するための情報として、第３のパラメータ（Ｓｅａｑｕｅｎｃｅ−ｈｏｐｐｉｎｇ−ｅｎａｂｌｅｄとも呼称される）を使用することができる。すなわち、第３のパラメータは、系列ホッピングが有効かどうかを決定するために使用される。
【０１５８】
また、系列ホッピングの無効を指示するための情報として、上述した、第２のパラメータ（Ｄｉｓａｂｌｅ−ｓｅｑｕｅｎｃｅ−ｈｏｐｐｉｎｇ）を使用することができる。すなわち、第２のパラメータは、系列ホッピングが無効かどうかを決定するために使用される。すなわち、第２のパラメータは、系列グループホッピングおよび系列ホッピングが無効かどうかを決定するために使用される。ここで、第２のパラメータは、系列ホッピングの有効を指示することはできない。また、系列グループホッピングが無効のときのみに、第２のパラメータを使用して、系列ホッピングを有効とすることができる。
【０１５９】
ここで、第３のパラメータは、セル固有に設定される。例えば、第３のパラメータは、ＳＩＢ２（Ｓｙｓｔｅｍ  Ｉｎｆｏｒｍａｔｉｏｎ  Ｂｌｏｃｋ  Ｔｙｐ２  ２）を使用して送信される。すなわち、第３のパラメータは、セル固有のパラメータ（ｃｅｌｌ−ｓｐｅｃｉｆｉｃ  ｐａｒａｍｅｔｅｒ）である。
【０１６０】
ここで、基地局は、第３のパラメータを使用して系列ホッピングを有効に設定した場合であっても、第２のパラメータを使用して、系列ホッピングの無効を設定することができる。すなわち、第２のパラメータは、セル固有に系列ホッピングが有効とされたにも関わらず、ある特定の端末に対する系列ホッピングを無効とするために使用されることができる。
【０１６１】
図５を使用して、端末による系列ホッピングの有効または無効の決定方法を説明する。図５において、端末は、基地局によって送信された第３のパラメータを識別する（ステップ５０１）。ここで、端末は、系列ホッピングの無効が設定されていた場合（ｄｉｓａｂｌｅ）には、系列ホッピングを無効にして第１の参照信号を生成する。また、端末は、生成した第１の参照信号を送信する。
【０１６２】
また、端末は、基地局によって送信された第３のパラメータを識別し、系列ホッピングの有効が設定されていた場合（ｅｎａｂｌｅ）には、第２のパラメータを識別する。すなわち、例えば、端末は、第２のパラメータが設定されているかどうかを識別する（ステップ５０２）。ここで、端末は、第２のパラメータが設定されていなかった場合（例えば、ｄｅｄｉｃａｔｅｄ  ｓｉｎｇａｌを用いて第２のパラメータを受信しなかった場合）（なし）には、系列ホッピングを有効にして第１の参照信号を生成する。また、端末は、生成した第１の参照信号を送信する。
【０１６３】
さらに、端末は、第２のパラメータが設定されていた場合（例えば、ｄｅｄｉｃａｔｅｄ  ｓｉｎｇａｌを用いて第２のパラメータを受信した場合）（あり）には、ＤＣＩフォーマットを識別する（ステップ５０３）。すなわち、端末は、対応するＰＵＳＣＨでの送信のスケジューリングに使用されるＤＣＩフォーマットを識別する。
【０１６４】
ここで、端末は、ＤＣＩフォーマットを識別（検出、受信）しなかった場合には、系列ホッピングを有効にして第１の参照信号を生成する。また、端末は、生成した第１の参照信号を送信する。
【０１６５】
ここで、端末は、ＤＣＩフォーマット４を識別（検出、受信）した場合（ＤＣＩ  ｆｏｒｍａｔ  ４）には、系列ホッピングを無効にして第１の参照信号を生成する。また、端末は、生成した第１の参照信号を送信する。ここで、例えば、ＤＣＩフォーマット４は、ＵＳＳのみにおいて送信される。すなわち、端末は、ＵＳＳのみにおいて送信されるＤＣＩフォーマットを識別した場合には、系列ホッピングを無効にして第１の参照信号を生成する。
【０１６６】
また、端末は、ＤＣＩフォーマット０を識別（検出、受信）した場合（ＤＣＩ  ｆｏｒｍａｔ  ０）には、ＣＲＣにスクランブルされたＲＮＴＩを識別する（ステップ５０４）。ここで、例えば、ＤＣＩフォーマット０は、ＣＳＳおよび／またはＵＳＳにおいて送信される。すなわち、端末は、ＣＳＳにおいて送信することが可能なＤＣＩフォーマットを識別した場合には、ＲＮＴＩを識別する。ここで、ＤＣＩフォーマット０を、所定の下りリンク情報フォーマットとも記載する。また、ＤＣＩフォーマット４を、所定の下りリンク情報フォーマット以外の下りリンク情報フォーマットとも記載する。
【０１６７】
ここで、端末が受信したＤＣＩフォーマットとは、対応するＰＵＳＣＨでの送信に関連するトランスポートブロックに対する、最も近い上りリンクに関連する下りリンク制御情報（ｍｏｓｔ  ｒｅｃｅｎｔ  ｕｐｌｉｎｋ−ｒｅｌａｔｅｄ  ＤＣＩ）が含まれるＤＣＩフォーマットを示している。
【０１６８】
また、端末がＤＣＩフォーマットを受信していないとは、対応するＰＵＳＣＨでの送信に関連するトランスポートブロックに対するＤＣＩフォーマットを一度も受信していないことを示している。例えば、ランダムアクセスレスポンスグラントによってスケジュールされたトランスポートブロックの初期送信を行なう場合、または、該トランスポートブロックの再送信を指示するＤＣＩフォーマットを受信せず、ＰＨＩＣＨを用いて受信したＮＡＣＫに従って該トランスポートブロックの再送信を行なう場合、ＰＵＳＣＨを用いて送信するトランスポートブロックに対するＤＣＩフォーマットはない。
【０１６９】
また、端末は、ＣＲＣがＣ−ＲＮＴＩでスクランブルされていた場合（Ｃ−ＲＮＴＩ）には、系列ホッピングを無効にして第１の参照信号を生成する。また、端末は、生成した第１の参照信号を送信する。ここで、端末は、ＣＲＣがｔｅｍｐｏｒａｒｙ  Ｃ−ＲＮＴＩでスクランブルされていた場合（ｔｅｍｐｏｒａｒｙ  Ｃ−ＲＮＴＩ）には、系列ホッピングを有効にして第１の参照信号を生成する。また、端末は、生成した第１の参照信号を送信する。
【０１７０】
ここで、ＣＲＣがスクランブルされたＲＮＴＩとは、対応するＰＵＳＣＨでの送信に関連するトランスポートブロックに対する、最も近い上りリンクに関連する下りリンク制御情報を送信するために使用されるＲＮＴＩを示している。
【０１７１】
すなわち、端末は、セル固有のパラメータおよび／または端末固有のパラメータおよび／またはＤＣＩフォーマットおよび／またはＲＮＴＩ、に基づいて、系列ホッピングの有効または無効を切り換えることができる。
【０１７２】
すなわち、端末は、ＤＣＩフォーマットおよび／またはＣＲＣにスクランブルされたＲＮＴＩ、に基づいて、セル固有に設定されたパラメータに従うか、端末固有のパラメータに従うか、を決定する。
【０１７３】
すなわち、第３のパラメータは、端末固有に系列ホッピングが無効とされたにも関わらず、ランダムアクセスレスポンスグラントによってトランスポートブロックに対するＰＵＳＣＨがスケジュールされ、および該トランスポートブロックに対する上りリンクグラントを受信していない場合には、系列ホッピングを有効または無効とするために使用されることができる。
【０１７４】
また、第３のパラメータは、端末固有に系列ホッピングが無効とされたにも関わらず、もし、対応するＰＵＳＣＨでの送信に関連するトランスポートブロックに対する、最も近い上りリンクに関連する下りリンク制御情報を送信するためにｔｅｍｐｏｒａｒｙ  Ｃ−ＲＮＴＩが使用された場合には、系列ホッピングを有効または無効とするために使用されることができる。
【０１７５】
すなわち、第３のパラメータは、端末固有に系列ホッピングが無効とされたにも関わらず、もし、メッセージ３の送信を行なう場合には、系列ホッピングを有効または無効とするために使用されることができる。
【０１７６】
また、第２のパラメータは、セル固有に系列ホッピングが有効とされたにも関わらず、もし、対応するＰＵＳＣＨでの送信に関連するトランスポートブロックに対する、最も近い上りリンクに関連する下りリンク制御情報を送信するためにＣ−ＲＮＴＩが使用された場合には、ある特定の端末に対する系列ホッピングを無効とするために使用されることができる。すなわち、第２のパラメータは、もし、メッセージ３以外の上りリンクデータの送信を行なう場合には、ある特定の端末に対する系列ホッピングを無効とするために使用されることができる。
【０１７７】
上述のような方法によって、端末は、メッセージ３を送信する際には、セル固有の第１のパラメータおよびセル固有の第３のパラメータに基づいて、系列グループホッピングおよび系列ホッピングの有効または無効を判断する。すなわち、端末は、メッセージ３を送信する際には、たとえ、端末固有の第２のパラメータによって、系列グループホッピングおよび系列ホッピングの無効が設定されたとしても、セル固有の第１のパラメータおよびセル固有の第３のパラメータに基づいて、系列グループホッピングおよび系列ホッピングの有効または無効を判断する。
【０１７８】
また、端末は、メッセージ３以外の上りリンクデータを送信する際には、端末固有の第２のパラメータに基づいて、系列グループホッピングおよび系列ホッピングが無効かどうかを判断する。これにより、基地局は、たとえメッセージ３を何れの端末が送信しているかを知らなくても、セル固有の第１のパラメータおよびセル固有の第２のパラメータに基づいて、端末が系列グループホッピングまたは系列ホッピングを有効としたか無効としたかを知ることができるので、正しくメッセージ３を受信することができる。
【０１７９】
上述のような方法によって、例えば、より柔軟に系列を切り換えて、上りリンク参照信号を送受信することができる。また、上述のような方法によって、より動的に系列を切り換えて、上りリンク参照信号を送受信することができる。
【０１８０】
基地局が、上述のように、系列グループホッピングおよび／または系列ホッピングを切り換えることによって、複数の端末のそれぞれによって送信される上りリンク参照信号の送信を柔軟に制御することが可能となる。
【０１８１】
本発明に関わるプライマリー基地局、セカンダリー基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１８２】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるプライマリー基地局、セカンダリー基地局および端末の一部、または全てを、典型的には集積回路であるＬＳＩとして実現してもよい。ここで、プライマリー基地局、セカンダリー基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０１８３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１８４】
本発明は、移動局装置や基地局装置や通信方法や無線通信システムや集積回路に対して好適である。
【符号の説明】
【０１８５】
１００  基地局
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
２００  端末
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
３０１  プライマリー基地局
３０２  セカンダリー基地局
３０３、３０４  端末
３０５、３０６、３０７、３０８  上りリンク
【図１】
0006054822.tif 000018
【図２】
0006054822.tif 000019
【図３】
0006054822.tif 000020
【図４】
0006054822.tif 000021
【図５】
0006054822.tif 000022